(57)【要約】【課題】  簡単に着せることができて、運動を阻害するようなこともなく、汚れの付きにくい、愛玩動物用ウエアを提供する。【解決手段】  頭部から首にかけて覆うようにしたフード部３と、首から前足付け根廻り、胸部、肋骨から腹部にかけての背を覆う胴部４とで一体縫製して構成する。この胴部４には、両前足を挿通して前足付け根廻りを囲む前足出部５、５を設け、これら前足出部５、５から胴部４後縁部４ｂｅにかけて切り開き６、６を形成し、この胴部４の両前足出部５、５から、後縁部４ｂｅにかけての切り開き６、６を開口して愛玩動物の頭から胴体にかけて着用させる構成とする。  前記前足出部５、５から胴部４後縁部４ｂｅにかけての切り開き６、６には、合わせ面として縁取布８に沿って互いに連結するための止着手段９を設ける。【選択図】              図２
2005278515.tif 000002
【特許請求の範囲】
【請求項１】
頭部から首にかけて覆うようにしたフード部と、首から前足付け根廻り、胸部、肋骨から腹部にかけての背を覆う胴部とで構成し、この胴部には、両前足を挿通して前足付け根廻りを囲む前足出部を設け、これら前足出部から胴部後縁部にかけて切り開きを形成し、この胴部の両前足出部から、後縁部にかけての切り開きを開口して愛玩動物の頭から胴体にかけて着用させる構成としたことを特徴とする愛玩動物用ウエア。
【請求項２】
前記前足出部から胴部後縁部にかけて切り開きに、互いに着脱可能に止め着けるための止着手段を設けたことを特徴とする請求項１記載の愛玩動物用ウエア。
【請求項３】
前記止着手段は面ファスナであることを特徴とする請求項２記載の愛玩動物用ウエア。
【請求項４】
前記止着手段はスナップファスナであることを特徴とする請求項２記載の愛玩動物用ウエア。
【発明の詳細な説明】
【技術分野】
【０００１】
本発明は、愛玩動物に着用させる愛玩動物用ウエアに関するものである。
【背景技術】
【０００２】
愛玩動物、特に小型犬には、屋内屋外で飼うに関係なく、ウエアを着せている飼い主が増えている。このウエアは主に、胴体を覆うものが多い。
例えば、図７、図８に示すウエア１では、首の付根から後足手前の腹部まで覆う、筒状に一体縫製されたものとなっている。また、このウエア１では、着せやすくするために、首出口１Ｎと両前足を露出する前足入部２、２とを切り開いて、この切開部Ｆを、係着手段Ｋで止め付けるようにしている。
しかしながら、前記前足入部２、２から後開口部１Ｂにかけては、筒状になっているので、犬にこのウエア１を着せるときには、犬を、前足側からか、後足側から筒状のウエア１をくぐらせて着せなければならず、これによって、犬は嫌がり、簡単に着せられないことがある。
【０００３】
その他、愛玩動物用ウエアとしては、例えば、
【特許文献１】特開２００４−５７０７２号公報  この公報に開示されている犬猫用衣服では、首から前足脇部は必要に応じて腹部より胸部の長さを調節可能とし、首廻りについても弧状縁とすることで曲面に応じた形状となり犬猫の前足脇部から胴部、腰部にかけての部分を筒状としたものに後足部を組み合わせ、尾の付け根から性器にかけて楕円状の開口を設けたため、汚物による汚損のおそれもないようになっていると共に、後足部を包み通す構成としている。
【発明の開示】
【発明が解決しようとする課題】
【０００４】
この場合のウエアでは、後足部を包み通すということであるから、運動を阻害するおそれがあるといえる。
このようにこれまでのウエアでは、運動を阻害したり、飼い主であっても、上記衣服を着せる際、愛玩動物は拘束感からか嫌がることが多く、簡単には着せられないことがあり、改善の余地があるといえる。
本発明はこのような背景から提案されたものであって、簡単に着せることができて、運動を阻害するようなこともなく、汚れの付きにくい、愛玩動物用ウエアを提供することを目的とする。
【課題を解決するための手段】
【０００５】
前記した課題を解決するために、本発明では、請求項１において、頭部から首にかけて覆うようにしたフード部と、首から前足付け根廻り、胸部、肋骨から腹部にかけての背を覆う胴部とで構成し、この胴部には、両前足を挿通して前足付け根廻りを囲む前足出部を設け、これら前足出部から胴部後縁部にかけて切り開きを形成し、この胴部の両前足出部から、後縁部にかけての切り開きを開口して愛玩動物の頭から胴体にかけて着用させる構成とした愛玩動物用ウエアを提案する。
また本発明では、請求項２において、前記前足出部から胴部後縁部にかけて切り開きに、互いに着脱可能に止め着けるための止着手段を設けた愛玩動物用ウエアを提案する。
また本発明では、請求項３において、前記止着手段は面ファスナである愛玩動物用ウエアを提案する。
さらに本発明では、請求項４において、前記止着手段はスナップファスナである愛玩動物用ウエアを提案する。
【発明の効果】
【０００６】
本発明によれば、簡単に着せることができて、運動を阻害するようなこともなく、汚れの付きにくい、愛玩動物用ウエアを提供することができる。
【０００７】
請求項１によれば、胴部の両前足出部から、後縁部にかけての切り開きを開口して愛玩動物の頭から胴体にかけて着用させるようにしたので、愛玩動物に負担をかけるようなことはなく、容易に着用させることができる。
フード部は、頭部をすっぽり覆うことができるので、必要に応じてかぶせた状態とすることができ、雨が降っても、頭を濡らすことはない。
【０００８】
請求項２によれば、飼い主は、両前足出部から、後縁部にかけての切り開きを開口して愛玩動物の頭から胴体にかけて着用した際、切り開きに設けた止着手段により、切り開き間を止め着けることで、前足付け根廻りを囲む前足出部から前足が抜けないように保持することができる。
【０００９】
請求項３によれば、飼い主は、切り開きの止着手段である面ファスナを合わせるだけで、簡単に切り開きの合わせ面を接続することができ、また、面ファスナ同士の止着状態を開放することで、合わせ面を分離させることができる。
【００１０】
請求項４によれば、飼い主は、切り開きの止着手段であるスナップファスナを合わせるだけで、簡単に切り開きの合わせ面を接続することができ、容易にウエアを着せることができる。
【発明を実施するための最良の形態】
【００１１】
以下、本発明にかかる愛玩動物用ウエアにつき、一つの実施の態様を挙げ、添付の図面に基づいて説明する。なお、上記従来のウエアに対応した構成と実質的に同様の構成のものには同符号を付すものとする。
【実施例１】
【００１２】
図１、図２に愛玩動物用ウエア１を示す。すなわちこの愛玩動物用ウエア１では、周知の素材の布地により、頭部から首にかけて覆うようにしたフード部３と、首から前足付け根廻り、胸部、肋骨から腹部にかけての背を覆う胴部４とで一体縫製して構成している。
この胴部４には、両前足を挿通して前足付け根廻りを囲む前足出部５、５を設け、これら前足出部５、５から胴部４後縁部４ｂｅにかけて切り開き６、６を形成し、この胴部４の両前足出部５、５から、後縁部４ｂｅにかけての切り開き６、６を開口して愛玩動物の頭から胴体にかけて着用させる構成としている。
【００１３】
前記愛玩動物用ウエア１には、素材として、周知の伸縮性のある、且つ撥水性、通気性を兼ね備えた布地が好ましい。
【００１４】
前記フード部３は、頭部全体が余裕を以て通る大きさの頭部開口部７を有している。またこの頭部開口部７の縁廻りには、適宜な伸縮性素材の縁取布８を縫製することができる。
【００１５】
前記胴部４は、首から前足付け根廻り、胸部、肋骨から腹部にかけての背を覆う寸法を有し、腹部以後、後足側は、剥き出しの状態としている。この胴部４における前足出部５、５、切り開き６、６、さらには後縁部４ｂｅにおいても、適宜な伸縮性素材の縁取布８を縫製している。
【００１６】
そして、前記前足出部５、５から胴部４後縁部４ｂｅにかけての切り開き６、６には、合わせ面として縁取布８に沿って互いに連結するための止着手段９を設けている。この場合、止着手段９としては、面ファスナを採用することができる。勿論、この他、止着手段９としては、周知のファスナ、スナップファスナ、ホック等も可能である。
【００１７】
以上のような愛玩動物用ウエア１において、愛玩動物に愛玩動物用ウエア１を着せるには、飼い主は、胴部４の両前足出部５、５から、後縁部４ｂｅにかけての双方の切り開き６、６で分離した、両前足間の付根に対応する箇所を、前記後縁部４ｂｅ側から引き離すように捲り上げることで後縁部４ｂｅ側を大きく開口し（図２参照）、この後縁部４ｂｅから胴部４内に愛玩動物の頭を入れて、この頭をフード部３の頭部開口部７へ導くようにする。
これによって、胴部４の両前足出部５、５は、両前足の付根を包むようにもたらされ、一方、胴部４の後縁部４ｂｅは、胸部、肋骨から腹部にもたらされる。
このように、愛玩動物の前足や後足をウエア１にくぐらせることはなく、何ら負担を受けることがないため、愛玩動物を暴れさせることなく、容易にウエア１を着用させることができる（図３、図４参照）。
【００１８】
そして飼い主は、双方の切り開き６、６間の、両前足間の付根に対応する箇所を持って、両前足間の付根を前足出部５、５で包むように腹部下に持っていき、対向する切り開き６、６の縁取布８における止着手段９と重ね合わせることで、切り開き６、６を閉合することができ、前足付根廻りを囲む前足出部５、５から前足が抜けないように保持することができる（図５、図６参照）。
なお、フード部３は、必要に応じてかぶせたり、頭を露出させるように捲り上げたりすればよい。前記フード部３で頭をかぶせた状態とすれば、雨が降っても、頭を濡らすことはない。
【００１９】
以上のように、このウエア１は、愛玩動物の頭から腹部にかけて着用するものであるので、後足側は露出し、且つ四肢は露出状態であるので、運動を阻害することはないし、また、用を足すような場合でも、汚れるようなことはない。
また、ウエア１の素材に撥水性のものを用いれば、水をはじくし、汚れにも強いということができる。
【図面の簡単な説明】
【００２０】
【図１】本発明にかかる愛玩動物用ウエアの一つの実施の形態を示す、全体斜視図である。
【図２】図１に示す愛玩動物用ウエアにおける切り開きを開いて愛玩動物に着用させる際の全体斜視図である。
【図３】図１に示す愛玩動物用ウエアを着用させるときの斜視説明図である。
【図４】図１に示す愛玩動物用ウエアを愛玩動物に着用させた状態を示す側面図である。
【図５】図４に示す着用させた愛玩動物用ウエアを愛玩動物に固定する操作を示した斜視説明図である。
【図６】図５に示す愛玩動物用ウエアを愛玩動物に固定した状態を示す側面図である。
【図７】従来における愛玩動物用ウエアの一例を示す説明図である。
【図８】図７に示す愛玩動物用ウエアを愛玩動物に着用させた状態を示す側面図である。
【符号の説明】
【００２１】
１                            愛玩動物用ウエア
１Ｎ                          首出口
１Ｂ                          後開口部
２                            前足入部
３                            フード部
４                            胴部
４ｂｅ                        後縁部
５                            前足出部
６                            切り開き
７                            頭部開口部
８                            縁取布
９                            止着手段
Ｆ                            切開部
Ｋ                            係着手段
【図１】
2005278515.tif 000003
【図２】
2005278515.tif 000004
【図３】
2005278515.tif 000005
【図４】
2005278515.tif 000006
【図５】
2005278515.tif 000007
【図６】
2005278515.tif 000008
【図７】
2005278515.tif 000009
【図８】
2005278515.tif 000010